(57)【要約】【課題】  コンテンツ出稿者や利用者の意図に対して適切な量の情報を感受しながら地図を視認可能とし、ナビゲーションを適切に受けることが可能な地図表示システムを提供する。【解決手段】  カーナビゲーション装置１はＧＰＳ受信機から得られる現在地情報と表示部に表示している地図の縮尺とをパラメータとして情報サーバ２に情報配信要求を送信する。情報サーバ２は送信されてきた情報を基に現在地周辺の情報を検索し、その検索した情報をカーナビゲーション装置１に送信する。カーナビゲーション装置１は受信した情報を記憶部に一定時間蓄積し、その蓄積してあるコンテンツの中から現在の縮尺にあった表示レベルのコンテンツを選別し、表示部に表示し、そのコンテンツのＩＤを課金管理サーバ３に対して送信する。【選択図】      図１                                                  
2005227410.tif 000002
【特許請求の範囲】
【請求項１】
電子データとして保存された地図情報を表示装置の表示画面上に表示する地図表示システムであって、各々位置情報と表示情報と前記地図情報の縮尺に基づく表示レベルとを少なくとも含む複数の付加表示情報を記憶する記憶手段と、前記表示画面上に表示する地図範囲を指定する第１の指定手段と、前記表示画面上に表示する地図上の位置を指定する第２の指定手段と、前記第１の指定手段で指定された前記地図範囲に基づいて前記付加表示情報を選択する選択手段とを前記表示装置に有することを特徴とする地図表示システム。
【請求項２】
前記選択手段は、前記付加表示情報を前記表示レベル及び外部から指定される前記付加表示情報の種別を示す表示ジャンルの両方を基に選択することを特徴とする請求項１記載の地図表示システム。
【請求項３】
前記表示装置の現在位置を検出する手段を前記表示装置に含み、
前記第２の指定手段は、その検出された現在位置を基に前記地図上の位置を指定することを特徴とする請求項１または請求項２記載の地図表示システム。
【請求項４】
前記表示レベルを前記付加表示情報の出稿料に応じて決定することを特徴とする請求項１から請求項３のいずれか記載の地図表示システム。
【請求項５】
前記地図情報及び前記付加表示情報の少なくとも一部を前記表示装置が接続可能なネットワーク上から取得する手段を前記表示装置に含むことを特徴とする請求項１から請求項４のいずれか記載の地図表示システム。
【請求項６】
前記ネットワークに接続されかつ前記地図情報及び前記付加表示情報の少なくとも一部を保存する配信装置を含むことを特徴とする請求項５記載の地図表示システム。
【請求項７】
前記地図範囲を含むより広範な範囲の前記地図情報及びそれに対応する前記付加表示情報の少なくとも一部を前記配信装置から前記ネットワークを介して先読みする手段を前記表示装置に含み、
前記表示装置は、前記ネットワークに未接続状態において、前記表示画面上に表示する地図上の位置の変化に応じて前記地図情報及び前記付加表示情報を前記表示画面上に表示することを特徴とする請求項６記載の地図表示システム。
【請求項８】
前記表示装置の移動の方向を検出する手段を前記表示装置に含み、
前記表示装置は、前記移動の方向に応じて前記地図情報及び前記付加表示情報の少なくとも一部を前記配信装置から前記ネットワークを介して先読みし、前記ネットワークに未接続状態において、前記表示画面上に表示する地図上の位置の変化に応じて前記地図情報及び前記付加表示情報を前記表示画面上に表示することを特徴とする請求項６記載の地図表示システム。
【請求項９】
前記ネットワークを介して取得した前記地図情報及び前記付加表示情報の少なくとも一部を一時的に保持する手段を前記表示装置に含み、
前記表示装置は、前記表示画面上に表示する範囲の前記地図情報及び前記付加表示情報が保持されている場合に前記地図情報及び前記付加表示情報を前記ネットワークに未接続状態において前記表示画面上に表示することを特徴とする請求項５から請求項８のいずれか記載の地図表示システム。
【請求項１０】
前記付加表示情報は、利用者が表示を指示した時のみに表示される詳細表示情報を含むことを特徴とする請求項５から請求項９のいずれか記載の地図表示システム。
【請求項１１】
前記付加表示情報に基づいて当該付加表示情報に対応する料金割引を示すクーポン券を発行することを特徴とする請求項１から請求項１０のいずれか記載の地図表示システム。
【請求項１２】
前記付加表示情報が前記地図上に表示された回数と前記詳細表示情報が前記地図上に表示された回数と前記クーポン券が発行された回数とのうちの少なくとも一つを計数する課金管理装置を含むことを特徴とする請求項１１記載の地図表示システム。
【請求項１３】
前記課金管理装置の計数結果を示す情報を前記付加表示情報に対応付けて前記地図上に表示することを特徴とする請求項１２記載の地図表示システム。
【請求項１４】
前記付加表示情報を前記ネットワークを介して前記配信装置に登録する登録装置を含むことを特徴とする請求項６から請求項１３のいずれか記載の地図表示システム。
【請求項１５】
前記課金管理装置の計数結果を前記付加表示情報の出稿者に通知することを特徴とする請求項１２から請求項１４のいずれか記載の地図表示システム。
【請求項１６】
前記付加表示情報の出稿者が前記表示レベル及び前記出稿料のいずれかを決定することを特徴とする請求項４から請求項１５のいずれか記載の地図表示システム。
【請求項１７】
前記課金管理装置の計数結果に基づいて前記表示レベルを上下に変動させることを特徴とする請求項１２から請求項１６のいずれか記載の地図表示システム。
【請求項１８】
前記課金管理装置の計数結果に基づいて前記出稿者への課金を増減させることを特徴とする請求項１２から請求項１７のいずれか記載の地図表示システム。
【請求項１９】
前記表示装置は、少なくともカーナビゲーション装置を含むナビゲーション装置であることを特徴とする請求項１から請求項１８のいずれか記載の地図表示システム。
【請求項２０】
前記表示装置は、少なくとも携帯電話機を含む移動端末装置であることを特徴とする請求項１から請求項１８のいずれか記載の地図表示システム。
【請求項２１】
前記表示装置は、少なくともインタネットへの接続が可能な情報処理装置であることを特徴とする請求項１から請求項１８のいずれか記載の地図表示システム。
【請求項２２】
電子データとして保存された地図情報を表示画面上に表示する地図表示装置であって、各々位置情報と表示情報と前記地図情報の縮尺に基づく表示レベルとを少なくとも含む複数の付加表示情報を記憶する記憶手段と、前記表示画面上に表示する地図範囲を指定する第１の指定手段と、前記表示画面上に表示する地図上の位置を指定する第２の指定手段と、前記第１の指定手段で指定された前記地図範囲に基づいて前記付加表示情報を選択する選択手段とを有することを特徴とする地図表示装置。
【請求項２３】
前記選択手段は、前記付加表示情報を前記表示レベル及び外部から指定される前記付加表示情報の種別を示す表示ジャンルの両方を基に選択することを特徴とする請求項２２記載の地図表示装置。
【請求項２４】
自装置の現在位置を検出する手段を含み、
前記第２の指定手段は、その検出された現在位置を基に前記地図上の位置を指定することを特徴とする請求項２２または請求項２３記載の地図表示装置。
【請求項２５】
前記表示レベルを前記付加表示情報の出稿料に応じて決定することを特徴とする請求項２２から請求項２４のいずれか記載の地図表示装置。
【請求項２６】
前記地図情報及び前記付加表示情報の少なくとも一部を自装置が接続可能なネットワーク上から取得する手段を含むことを特徴とする請求項２２から請求項２５のいずれか記載の地図表示装置。
【請求項２７】
前記ネットワークに接続されかつ前記地図情報及び前記付加表示情報の少なくとも一部を保存する配信装置から前記地図範囲を含むより広範な範囲の前記地図情報及びそれに対応する前記付加表示情報の少なくとも一部を先読みする手段を含み、前記ネットワークに未接続状態において、前記表示画面上に表示する地図上の位置の変化に応じて前記地図情報及び前記付加表示情報を前記表示画面上に表示することを特徴とする請求項２６記載の地図表示装置。
【請求項２８】
自装置の移動の方向を検出する手段を含み、前記移動の方向に応じて前記地図情報及び前記付加表示情報の少なくとも一部を前記配信装置から前記ネットワークを介して先読みし、前記ネットワークに未接続状態において、前記表示画面上に表示する地図上の位置の変化に応じて前記地図情報及び前記付加表示情報を前記表示画面上に表示することを特徴とする請求項２６記載の地図表示装置。
【請求項２９】
前記ネットワークを介して取得した前記地図情報及び前記付加表示情報の少なくとも一部を一時的に保持する手段を含み、前記表示画面上に表示する範囲の前記地図情報及び前記付加表示情報が保持されている場合に前記地図情報及び前記付加表示情報を前記ネットワークに未接続状態において前記表示画面上に表示することを特徴とする請求項２６から請求項２８のいずれか記載の地図表示装置。
【請求項３０】
前記付加表示情報は、利用者が表示を指示した時のみに表示される詳細表示情報を含むことを特徴とする請求項２６から請求項２９のいずれか記載の地図表示装置。
【請求項３１】
前記付加表示情報に基づいて発行されかつ当該付加表示情報に対応する料金割引を示すクーポン券を表示することを特徴とする請求項２２から請求項３０のいずれか記載の地図表示装置。
【請求項３２】
前記付加表示情報が前記地図上に表示された回数と前記詳細表示情報が前記地図上に表示された回数と前記クーポン券が発行された回数とのうちの少なくとも一つを計数する課金管理装置の計数結果を表示自在としたことを特徴とする請求項３１記載の地図表示装置。
【請求項３３】
前記課金管理装置の計数結果を示す情報を前記付加表示情報に対応付けて前記地図上に表示することを特徴とする請求項３２記載の地図表示装置。
【請求項３４】
前記付加表示情報の出稿者が前記表示レベル及び前記出稿料のいずれかを決定することを特徴とする請求項２５から請求項３３のいずれか記載の地図表示装置。
【請求項３５】
前記課金管理装置の計数結果に基づいて前記表示レベルを上下に変動させることを特徴とする請求項３２から請求項３４のいずれか記載の地図表示装置。
【請求項３６】
少なくともカーナビゲーション装置を含むナビゲーション装置であることを特徴とする請求項２２から請求項３５のいずれか記載の地図表示装置。
【請求項３７】
少なくとも携帯電話機を含む移動端末装置であることを特徴とする請求項２２から請求項３５のいずれか記載の地図表示装置。
【請求項３８】
少なくともインタネットへの接続が可能な情報処理装置であることを特徴とする請求項２２から請求項３５のいずれか記載の地図表示装置。
【請求項３９】
電子データとして保存された地図情報を表示装置の表示画面上に表示する地図表示システムであって、前記表示装置側に、各々位置情報と表示情報と前記地図情報の縮尺に基づく表示レベルとを少なくとも含む複数の付加表示情報を記憶する第１のステップと、前記表示画面上に表示する地図範囲を指定する第２のステップと、前記表示画面上に表示する地図上の位置を指定する第３のステップと、前記第２のステップで指定された前記地図範囲に基づいて前記付加表示情報を選択する第４のステップとを有することを特徴とする地図表示方法。
【請求項４０】
前記第４のステップは、前記付加表示情報を前記表示レベル及び外部から指定される前記付加表示情報の種別を示す表示ジャンルの両方を基に選択することを特徴とする請求項３９記載の地図表示方法。
【請求項４１】
前記表示装置側に、前記表示装置の現在位置を検出するステップを含み、
前記第３のステップは、その検出された現在位置を基に前記地図上の位置を指定することを特徴とする請求項３９または請求項４０記載の地図表示方法。
【請求項４２】
前記表示レベルを前記付加表示情報の出稿料に応じて決定することを特徴とする請求項３９から請求項４１のいずれか記載の地図表示方法。
【請求項４３】
前記表示装置側に、前記地図情報及び前記付加表示情報の少なくとも一部を前記表示装置が接続可能なネットワーク上から取得するステップを含むことを特徴とする請求項３９から請求項４２のいずれか記載の地図表示方法。
【請求項４４】
前記表示装置側に、前記ネットワークに接続されかつ前記地図情報及び前記付加表示情報の少なくとも一部を保存する配信装置から前記地図範囲を含むより広範な範囲の前記地図情報及びそれに対応する前記付加表示情報の少なくとも一部を先読みするステップを含むことを特徴とする請求項４３記載の地図表示方法。
【請求項４５】
前記表示装置が、前記ネットワークに未接続状態において、前記表示画面上に表示する地図上の位置の変化に応じて前記地図情報及び前記付加表示情報を前記表示画面上に表示することを特徴とする請求項４４記載の地図表示方法。
【請求項４６】
前記表示装置側に、前記表示装置の移動の方向を検出するステップを含み、
前記表示装置が前記移動の方向に応じて前記地図情報及び前記付加表示情報の少なくとも一部を前記配信装置から前記ネットワークを介して先読みし、前記ネットワークに未接続状態において、前記表示画面上に表示する地図上の位置の変化に応じて前記地図情報及び前記付加表示情報を前記表示画面上に表示することを特徴とする請求項４４記載の地図表示方法。
【請求項４７】
前記表示装置側に、前記ネットワークを介して取得した前記地図情報及び前記付加表示情報の少なくとも一部を一時的に保持するステップを含み、
前記表示装置が前記表示画面上に表示する範囲の前記地図情報及び前記付加表示情報が保持されている場合に前記地図情報及び前記付加表示情報を前記ネットワークに未接続状態において前記表示画面上に表示することを特徴とする請求項４３から請求項４６のいずれか記載の地図表示方法。
【請求項４８】
前記付加表示情報は、利用者が表示を指示した時のみに表示される詳細表示情報を含むことを特徴とする請求項４３から請求項４７のいずれか記載の地図表示方法。
【請求項４９】
前記付加表示情報に基づいて当該付加表示情報に対応する料金割引を示すクーポン券を発行することを特徴とする請求項３９から請求項４８のいずれか記載の地図表示方法。
【請求項５０】
前記付加表示情報が前記地図上に表示された回数と前記詳細表示情報が前記地図上に表示された回数と前記クーポン券が発行された回数とのうちの少なくとも一つを計数する課金管理装置の計数結果を示す情報を前記付加表示情報に対応付けて前記地図上に表示することを特徴とする請求項４９記載の地図表示方法。
【請求項５１】
前記付加表示情報を前記ネットワークを介して登録装置から前記配信装置に登録することを特徴とする請求項４４から請求項５０のいずれか記載の地図表示方法。
【請求項５２】
前記課金管理装置の計数結果を前記付加表示情報の出稿者に通知することを特徴とする請求項５０または請求項５１記載の地図表示方法。
【請求項５３】
前記付加表示情報の出稿者が前記表示レベル及び前記出稿料のいずれかを決定することを特徴とする請求項４２から請求項５２のいずれか記載の地図表示方法。
【請求項５４】
前記課金管理装置の計数結果に基づいて前記表示レベルを上下に変動させることを特徴とする請求項５０から請求項５３のいずれか記載の地図表示方法。
【請求項５５】
前記課金管理装置の計数結果に基づいて前記出稿者への課金を増減させることを特徴とする請求項５０から請求項５４のいずれか記載の地図表示方法。
【請求項５６】
前記表示装置が少なくともカーナビゲーション装置を含むナビゲーション装置であることを特徴とする請求項３９から請求項５５のいずれか記載の地図表示方法。
【請求項５７】
前記表示装置が少なくとも携帯電話機を含む移動端末装置であることを特徴とする請求項３９ら請求項５５のいずれか記載の地図表示方法。
【請求項５８】
前記表示装置が少なくともインタネットへの接続が可能な情報処理装置であることを特徴とする請求項３９から請求項５５のいずれか記載の地図表示方法。
【発明の詳細な説明】
【技術分野】
【０００１】
本発明は地図表示システム、地図表示装置及びそれらに用いる地図表示方法に関し、特に指定された地点までの道路情報を表示して案内するナビゲーション装置等の地図表示装置に関する。
【背景技術】
【０００２】
近年、パーソナルコンピュータを含む情報処理装置の性能の向上に伴って、カーナビゲーション装置等の地図表示装置の性能も年々向上しており、道路の表示のみでなく、地図上の対応する位置に施設を示すマーク（いわゆるランドマーク）を表示させて利便性を向上させたものもある（例えば、特許文献１参照）。
【０００３】
また、上記の地図表示装置においては、表示している地図上のランドマークの数に応じて、地図の縮尺を可変することで周辺情報を容易に把握することができる地図画像を提供するもの（例えば、特許文献２参照）、ランドマークを表示する際に本来の地図表示が見にくくならないようにするもの（例えば、特許文献３参照）等がある。
【０００４】
【特許文献１】特開２００２−１３１０７０号公報
【特許文献２】特開２００３−１１４６１５号公報
【特許文献３】特開平１０−１５３４４９号公報
【発明の開示】
【発明が解決しようとする課題】
【０００５】
上述した従来の地図表示装置では、地図上に表示される店情報やランドマーク情報等のコンテンツが沢山表示されると、地図本来の道路情報が見えなくなるという問題があるが、その場合に適当に間引きしてコンテンツを表示するとしても、コンテンツ出稿者や利用者の意図に必ずしも沿うものではなくなるという問題がある。
【０００６】
そこで、本発明の目的は上記の問題点を解消し、コンテンツ出稿者や利用者の意図に対して適切な量の情報を感受しながら地図を視認することができ、ナビゲーションを適切に受けることができる地図表示システム、地図表示装置及びそれらに用いる地図表示方法を提供することにある。
【課題を解決するための手段】
【０００７】
本発明による地図表示システムは、電子データとして保存された地図情報を表示装置の表示画面上に表示する地図表示システムであって、各々位置情報と表示情報と前記地図情報の縮尺に基づく表示レベルとを少なくとも含む複数の付加表示情報を記憶する記憶手段と、前記表示画面上に表示する地図範囲を指定する第１の指定手段と、前記表示画面上に表示する地図上の位置を指定する第２の指定手段と、前記第１の指定手段で指定された前記地図範囲に基づいて前記付加表示情報を選択する選択手段とを前記表示装置に備えている。
【０００８】
本発明による地図表示装置は、電子データとして保存された地図情報を表示画面上に表示する地図表示装置であって、各々位置情報と表示情報と前記地図情報の縮尺に基づく表示レベルとを少なくとも含む複数の付加表示情報を記憶する記憶手段と、前記表示画面上に表示する地図範囲を指定する第１の指定手段と、前記表示画面上に表示する地図上の位置を指定する第２の指定手段と、前記第１の指定手段で指定された前記地図範囲に基づいて前記付加表示情報を選択する選択手段とを備えている。
【０００９】
本発明による地図表示方法は、電子データとして保存された地図情報を表示装置の表示画面上に表示する地図表示システムであって、前記表示装置側に、各々位置情報と表示情報と前記地図情報の縮尺に基づく表示レベルとを少なくとも含む複数の付加表示情報を記憶する第１のステップと、前記表示画面上に表示する地図範囲を指定する第２のステップと、前記表示画面上に表示する地図上の位置を指定する第３のステップと、前記第２のステップで指定された前記地図範囲に基づいて前記付加表示情報を選択する第４のステップとを備えている。
【００１０】
すなわち、本発明の地図表示システムは、地図の縮尺を変更した際でも地図上の付加情報のために地図自体が見えなくならないように表示を制御するシステムを提供するものである。
【００１１】
本発明の地図表示システムでは、ナビゲーション装置に表示するコンテンツを情報登録者が登録する時に、コンテンツの表示名及び詳細情報のほかに、コンテンツ出稿料に応じた表示レベルを併せて登録し、ナビゲーション装置側ではこの表示レベルと地図の縮尺との関係から表示するコンテンツを決定し、地図上がコンテンツ表示で埋まらないようにしている。
【００１２】
また、本発明の地図表示システムでは、各コンテンツへの詳細情報へのアクセス度合いから、コンテンツ出稿料の追加請求またはコンテンツ出稿料の一部返金を行う仕組みを持っている。
【００１３】
これによって、本発明の地図表示システムでは、ナビゲーション装置の利用者はナビゲーション装置の画面上に必要以上の情報が表示されて道路地図そのものが見えなくなってしまうことがなく、適切な量の情報を感受しながら地図を視認することが可能となり、ナビゲーションを適切に受けることが可能となる。
【００１４】
また、コンテンツ出稿者は、ナビゲーション利用者に対する情報の露出度と詳細情報へのアクセス度合いに応じて出稿料を支払うことになり、適切な支払い形態を取ることがで可能となる。
【発明の効果】
【００１５】
本発明は、以下に述べるような構成及び動作とすることで、コンテンツ出稿者や利用者の意図に対して適切な量の情報を感受しながら地図を視認することができ、ナビゲーションを適切に受けることができるという効果が得られる。
【発明を実施するための最良の形態】
【００１６】
次に、本発明の実施例について図面を参照して説明する。図１は本発明の一実施例による地図表示システムの構成を示すブロック図である。図１において、本発明の一実施例による地図表示システムはカーナビゲーション装置１と、情報サーバ２と、課金管理サーバ３と、情報登録用端末４とをそれぞれインタネット１００に接続して構成されている。
【００１７】
カーナビゲーション装置１は地図情報とともに、情報サーバ２に登録されている情報をインタネット１００経由で表示することが可能となっている。情報サーバ２にはコンテンツ情報が登録されており、課金管理サーバ３はカーナビゲーション装置１に表示される情報の課金を管理する。情報登録用端末４はコンテンツ出稿者が情報サーバに情報を登録するための端末である。尚、情報サーバ２及び課金管理サーバ３は物理的に同一のサーバ装置で構成することもできる。
【００１８】
図２は図１のカーナビゲーション装置１の構成を示すブロック図である。図２において、カーナビゲーション装置１はＣＰＵ（中央処理装置）１１と、表示部１２と、操作部１３と、通信部１４と、ＧＰＳ（Ｇｌｏｂａｌ  Ｐｏｓｉｔｉｏｎｉｎｇ  Ｓｙｓｔｅｍ）受信機１５と、ＲＡＭ（Ｒａｎｄｏｍ  Ａｃｃｅｓｓ  Ｍｅｍｏｒｙ）１６と、記憶部１７と、自立航法用センサ１８とから構成されている。
【００１９】
図３は図１の情報登録用端末４の構成を示すブロック図である。図３において、情報登録用端末４はＣＰＵ４１と、表示部４２と、操作部４３と、通信部４４と、ＲＡＭ４５と、記憶部４６とから構成されている。
【００２０】
図４は図１の情報サーバ２からカーナビゲーション装置１に配信されるコンテンツのフォーマットを示す図である。図４において、コンテンツはそのコンテンツを特定するためのコンテンツＩＤ（識別情報）と、カーナビゲーション装置１に表示されている地図の縮尺に応じて表示レベルを判断するための表示可能レベルと、そのコンテンツを地図上に表示する際に用いる表示名と、利用者がコンテンツを選択した際に表示するための詳細情報とから構成されている。
【００２１】
図５は図１の情報サーバ２と課金管理サーバ３とが同一サーバ装置で構成される際のデータのフォーマットを示す図である。図５において、データはコンテンツを特定するためのコンテンツＩＤと、カーナビゲーション装置１に表示されている地図の縮尺に応じて表示レベルを判断するための表示可能レベルと、コンテンツを地図上に表示する際に用いる表示名と、利用者がコンテンツを選択した際に表示するための詳細情報と、実際にカーナビゲーション装置１で表示された回数を示す表示回数と、詳細情報にアクセスされた回数を示す詳細アクセス回数とから構成されている。
【００２２】
図６は本発明の一実施例によるコンテンツの登録動作を示すシーケンスチャートであり、図７は本発明の一実施例によるコンテンツの表示動作を示すシーケンスチャートであり、図８は本発明の一実施例による表示コンテンツの更新動作を示すシーケンスチャートである。これら図１〜図８を参照して本発明の一実施例による地図表示システムの動作について説明する。
【００２３】
まず、本発明の一実施例によるコンテンツの登録動作について説明する。情報登録用端末４は情報サーバ２に対して地図上での表示名、詳細情報、現在地情報及び表示レベルを送信して登録する（図６のａ１）。情報サーバ２は情報登録用端末４から受信されてきた情報をデータベース（ＤＢ）（図示せず）に登録する（図６のａ２）。
【００２４】
情報サーバ２はデータベースへの情報登録が完了したことを情報登録用端末４に対して送信し（図６のａ３）、情報登録用端末４は表示部４２に情報サーバ２に情報が登録された旨を表示する（図６のａ４）。また、課金管理サーバ３には情報サーバ２に登録されたデータと対応する情報が生成されて保存される（図６のａ５）。
【００２５】
次に、本発明の一実施例によるコンテンツの表示動作について説明する。カーナビゲーション装置１はＧＰＳ受信機１５から得られる現在地情報とカーナビゲーション装置１で表示している地図の縮尺とをパラメータとして情報サーバ２に情報配信要求を送信する（図７のｂ１）。
【００２６】
情報サーバ２はカーナビゲーション装置１から送信されてきた情報を基に現在地周辺の情報（カーナビゲーション装置１で表示可能な表示レベルで登録された情報）を検索し（図７のｂ２）、その検索した情報をカーナビゲーション装置１に送信する（図７のｂ３）。
【００２７】
尚、カーナビゲーション装置１において表示する地図範囲は位置指定と縮尺指定とからなり、コンテンツ及びその詳細情報はその表示する地図範囲に応じて選択される。また、コンテンツ及びその詳細情報はカーナビゲーション装置１の利用者が選択する表示ジャンル（例えば、観光、食事、宿泊、娯楽等のジャンル）に応じても選択可能となっている。
【００２８】
カーナビゲーション装置１は情報サーバ２から受信した情報をカーナビゲーション装置１内の記憶部１７に一定時間蓄積する（図７のｂ４）。カーナビゲーション装置１は記憶部１７に蓄積してあるコンテンツの中から、現在の縮尺にあった表示レベルのコンテンツを選別し、表示部１２の画面上に表示する（図７のｂ５）。
【００２９】
ここで、カーナビゲーション装置１内の記憶部１７に一定時間蓄積される情報は上記の地図範囲を含むより広範な範囲の地図情報及び詳細情報の一部または全部とすることができる。また、記憶部１７に一定時間蓄積される情報は利用者が予め設定したルートにしたがって情報サーバ２から先読みしておくことも可能である。
【００３０】
地図情報及び詳細情報の一部または全部を情報サーバ２から先読みしておく場合、カーナビゲーション装置１はＧＰＳ受信機１５から得られる現在地情報を基に、あるいは利用者が指定する位置情報を基に、通信を行うことなく地図情報と詳細情報とを表示することも可能である。
【００３１】
カーナビゲーション装置１は表示部１２に表示したコンテンツのＩＤを課金管理サーバ３に対して送信する（図７のｂ６）。課金管理サーバ３はコンテンツが表示されたものとして、表示状態をデータベースに登録する（図７のｂ７）。つまり、課金管理サーバ３はそのデータのフォーマットの表示回数（図５参照）のカウントを１つ増加させる。
【００３２】
さらに、本発明の一実施例による表示コンテンツの更新動作について説明する。カーナビゲーション装置１は表示部１２に表示されている地図の縮尺が大きい方へ（地図が詳細になる方へ）変更されたことを検出すると（図８のｃ１）、現在保持している登録情報のＩＤのセットと縮尺とをパラメータとして情報サーバ２に情報配信要求を送信する（図８のｃ３）。
【００３３】
情報サーバ２はカーナビゲーション装置１から送信されてきた情報を基に現在地周辺の情報（カーナビゲーション装置１で表示可能なレベルでそのエリアにある情報）を検索し（図８のｃ４）、その検索した情報をカーナビゲーション装置１に送信する（図８のｃ５）。
【００３４】
カーナビゲーション装置１は情報サーバ２から送信されてきた情報を記憶部１７に保存し、その保存したコンテンツのうち、現在の地図の縮尺で表示可能なコンテンツを選別し、表示部１２の画面上に表示する（図８のｃ７）。
【００３５】
また、カーナビゲーション装置１は表示部１２に表示されている地図の縮尺が小さい方へ（地図がおおまかになる方へ）変更されたことを検出すると（図８のｃ１）、記憶部１７に蓄積してあるコンテンツから表示可能なレベルのコンテンツを検索し（図８のｃ２）、該当するコンテンツ（検索結果から、縮尺を変えることで表示可能となったコンテンツ）を表示部１２の画面上に表示する（図８のｃ６）。
【００３６】
カーナビゲーション装置１は表示部１２に表示したコンテンツのＩＤを課金管理サーバ３に対して送信する（図８のｃ８）。課金管理サーバ３はコンテンツが表示されたものとして、表示状態をデータベースに登録する（図８のｃ９）。つまり、課金管理サーバ３はそのデータのフォーマットの表示回数（図５参照）のカウントを１つ増加させる。
【００３７】
図９は本発明の一実施例による詳細情報の表示動作を示すシーケンスチャートである。これら図１〜図５と図９とを参照して本発明の一実施例による詳細情報の表示動作について説明する。
【００３８】
カーナビゲーション装置１では操作部１３の入力によって、表示部１２に表示されているコンテンツ情報が選択されると（図９のｄ１）、選択された情報の詳細情報を表示部１２に表示する（図９のｄ２）。
【００３９】
また、カーナビゲーション装置１は課金管理サーバ３に対して、コンテンツＩＤとともに、該当コンテンツの詳細情報が表示されたことを通知する（図９のｄ３）。課金管理サーバ３はカーナビゲーション装置１にコンテンツの詳細情報が表示されたものとしてそのデータフォーマットの詳細アクセス回数（図５参照）のカウントを１つ増加させる（図９のｄ４）。
【００４０】
図１０は図１の課金管理サーバ３による課金状況の再計算動作を示すフローチャートである。これら図１〜図５と図１０とを参照して課金管理サーバ３による課金状況の再計算動作について説明する。
【００４１】
課金管理サーバ３ではそのデータベースにおいて、詳細アクセス回数がある閾値を超えているかを確認する（図１０ステップＳ１，Ｓ２）。課金管理サーバ３はある閾値を超えていた場合、情報登録用端末４に対して実績分の追加出稿料を請求する処理を行う（図１０ステップＳ３）。
【００４２】
課金管理サーバ３は詳細アクセス数がある閾値を超えておらず、かつ表示回数がある閾値を超えていない場合（図１０ステップＳ４）、情報登録用端末４に対して実績未達分として、コンテンツ出稿料として支払われていた費用の一部を返金する（図１０ステップＳ５）。
【００４３】
課金管理サーバ３は詳細アクセス数がある閾値を超えておらず、かつ表示回数がある閾値を超えている場合（図１０ステップＳ４）、清算処理を行わずに処理を終了する。
【００４４】
このように、本実施例では、カーナビゲーション装置１の利用者が表示部１２の画面上に必要以上の情報が表示されて道路地図そのものが見えなくなってしまうことがなく、適切な量の情報を授受しながら地図を視認することができ、ナビゲーションを適切に受けることができる。
【００４５】
また、本実施例では、コンテンツの出稿者がカーナビゲーションの利用者に対する情報の露出度と詳細情報へのアクセス度合いとに応じて出稿料を支払うことになり、適切な支払い形態をとることができる。この場合、コンテンツの表示レベルは出稿料に応じて決定することも可能である。
【００４６】
図１１は図１の情報サーバ２と課金管理サーバ３とが別々の構成をとる際に課金管理サーバ３で管理するデータのフォーマットを示す図である。図１１において、そのデータはコンテンツを特定するためのコンテンツＩＤと、実際にカーナビゲーション装置１で表示された回数を示す表示回数と、実際にカーナビゲーション装置１で詳細情報にアクセスした回数を示す詳細アクセス回数とから構成される。このようなデータのフォーマットでも、上述した各種動作が可能となる。
【００４７】
尚、本実施例では、カーナビゲーション装置１について述べたが、それ以外のナビゲーション、例えば携帯電話機、ＰＤＡ（Ｐｅｒｓｏｎａｌ  Ｄｉｇｉｔａｌ  Ａｓｓｉｓｔａｎｔ）、モバイル可能なノート型ＰＣ（パーソナルコンピュータ）、固定されて使用されるデスクトップ型ＰＣやノート型ＰＣ等において行われるナビゲーションにも適用可能である。
【００４８】
また、携帯電話機の場合には、現在地情報をＧＰＳだけでなく、他の方法（例えば、無線基地局の位置情報に基づいて現在地を特定する方法等）でも取得可能であり、固定されて使用されるデスクトップ型ＰＣやノート型ＰＣの場合には現在地情報を取得することなく、利用者が指定する位置情報を基にナビゲーションを行うことも可能である。
【００４９】
さらに、本実施例では、詳細情報の表示について述べているが、その詳細情報に基づいて利用者に割引券（利用した際に特定商品を特定価格で提供したり、あるいは総額から何割引かしたりするためのクーポン券）を発行することも可能である。
【００５０】
この場合には、課金管理サーバ３でカウントしているコンテンツの表示回数や詳細アクセス数以外に、クーポン券が発行された回数をカウントすることもできる。上記のコンテンツの表示回数や詳細アクセス数、クーポン券の発行回数は出稿者が閲覧することも、表示画面に表示することも、それらの情報を基に出稿者に対する出稿料を決定したり、出稿者がコンテンツの表示レベルや出稿料を決定したりすることも可能である。尚、カーナビゲーション装置１では上記のカウント値を基に表示レベルを上下に変動させる制御を行うことも可能である。
【産業上の利用可能性】
【００５１】
本発明はカーナビゲーション装置のみならず、携帯電話機に搭載されるナビゲーションの方法、またはＰＣ上でゲーム性を持たせてナビゲーションを行う方法等に適用可能であり、携帯電話機やＰＤＡ等の移動端末装置にも適用可能である。
【図面の簡単な説明】
【００５２】
【図１】本発明の一実施例による地図表示システムの構成を示すブロック図である。
【図２】図１のカーナビゲーション装置の構成を示すブロック図である。
【図３】図１の情報登録用端末の構成を示すブロック図である。
【図４】図１の情報サーバからカーナビゲーション装置に配信されるコンテンツのフォーマットを示す図である。
【図５】図１の情報サーバと課金管理サーバとが同一サーバ装置で構成される際のデータのフォーマットを示す図である。
【図６】本発明の一実施例によるコンテンツの登録動作を示すシーケンスチャートである。
【図７】本発明の一実施例によるコンテンツの表示動作を示すシーケンスチャートである。
【図８】本発明の一実施例による表示コンテンツの更新動作を示すシーケンスチャートである。
【図９】本発明の一実施例による詳細情報の表示動作を示すシーケンスチャートである。
【図１０】図１の課金管理サーバによる課金状況の再計算動作を示すフローチャートである。
【図１１】図１の情報サーバと課金管理サーバとが別々の構成をとる際に課金管理サーバで管理するデータのフォーマットを示す図である。
【符号の説明】
【００５３】
１  カーナビゲーション装置
２  情報サーバ
３  課金管理サーバ
４  情報登録用端末
１１，４１  ＣＰＵ
１２，４２  表示部
１３，４３  操作部
１４，４４  通信部
１５  ＧＰＳ受信機
１６，４５  ＲＡＭ
１７，４６  記憶部
１８  自立航法用センサ
１００  インタネット
【図１】
2005227410.tif 000003
【図２】
2005227410.tif 000004
【図３】
2005227410.tif 000005
【図４】
2005227410.tif 000006
【図５】
2005227410.tif 000007
【図６】
2005227410.tif 000008
【図７】
2005227410.tif 000009
【図８】
2005227410.tif 000010
【図９】
2005227410.tif 000011
【図１０】
2005227410.tif 000012
【図１１】
2005227410.tif 000013